(57)【要約】  布地物品を非水性洗濯装置内に入れること、布地物品を記述するデータを入力すること、洗濯プロセスを決定するためにデータを処理すること、及び洗濯プロセスによって布地物品を処理することを含む、非水性洗濯装置にて自動の家庭用洗濯プロセスを行う際にユーザーに指示する方法を開示する。
2007521077.tif 000002
【特許請求の範囲】
【請求項１】
非水性洗濯装置にて自動の家庭用洗濯プロセスを行う方法であって
前記洗濯装置に布地物品を受容すること；
前記布地物品を説明しているデータを受信すること；
前記データを処理して前記洗濯プロセスを決定すること；及び
前記洗濯プロセスによって前記布地物品を処理すること、
を含む、方法。
【請求項２】
前記非水性洗濯装置が、前記布地物品又はユーザー又はセンサから前記データを受信する、請求項１に記載の方法。
【請求項３】
前記非水性洗濯装置が、前記布地物品に付いた識別タグから前記データを受信する、請求項１又は２に記載の方法。
【請求項４】
前記データが、布地の種類、染みの種類、汚れのレベル、臭いのレベル、着色組成物、染色堅ろう度、洗濯物の大きさ、又はこれらの組み合わせを含む、請求項１〜３のいずれか一項に記載の方法。
【請求項５】
前記データがさらに、非水性洗浄サイクル、水性洗浄サイクル、又はこれらの組み合わせを利用する指示を含む、請求項１〜４のいずれか一項に記載の方法。
【請求項６】
前記洗濯装置が、前記水性又は非水性洗浄サイクルのための適切な洗剤組成物及び／又は添加剤を選択する、請求項１〜５のいずれか一項に記載の方法。
【請求項７】
前記非水性洗濯装置が、ユーザーインターフェースによってユーザーから前記データを受信する、請求項１〜６のいずれか一項に記載の方法。
【請求項８】
前記ユーザーインターフェースが、ボタン、ダイアル、タッチスクリーン、リモートコントロール、コンピュータスクリーン／マウス、コンピュータスクリーン／キーボード、及びこれらのいずれかの組み合わせから成る群から選択される、請求項１〜７のいずれか一項に記載の方法。
【請求項９】
前記データが、前記洗濯装置に親油性流体、洗剤組成物、添加剤及び／又は補助剤物質を前記洗濯プロセスに添加する指示を含む、請求項１〜８のいずれか一項に記載の方法。
【請求項１０】
前記データが、前記洗濯装置に非水性洗浄サイクル、水性洗浄サイクル、又はこれらの組み合わせを利用させる指示を含む、請求項１〜９のいずれか一項に記載の方法。
【請求項１１】
非水性洗濯装置のサービスをする方法であって、
前記非水性洗濯装置によってデータを集めること；
データをノードに送達すること；
前記ノードからリターンデータを受信すること；及び
前記非水性洗濯装置内でサービスを受けること、
を含む、方法。
【請求項１２】
前記データの送達が、前記洗濯材料又は前記システム構成要素がサービスを必要とするときに起こる、請求項１１に記載の方法。
【請求項１３】
前記データの送達又は前記データの受信が、インターネット、イントラネット、ネットワークシステム、音声回線及びデータ回線を含む電話、携帯電話技術、サテライト技術、ケーブル技術、電波、光通信、及びこれらの組み合わせを用いて起こる、請求項１１〜１２のいずれか一項に記載の方法。
【請求項１４】
前記ノードが機械又は人である、請求項１１〜１３のいずれか一項に記載の方法。
【請求項１５】
前記サービスが、
（ａ）洗濯材料を交換又は補充すること；
（ｂ）構成要素の修理又は整備を行うこと；
（ｃ）構成要素を交換又はアップグレードすること；及び
（ｄ）これらの組み合わせ、
を含む、請求項１１〜１４のいずれか一項に記載の方法。
【請求項１６】
前記洗濯材料が、親油性流体、極性溶媒、洗剤組成物、界面活性剤、補助剤及びこれらの混合物から成る群から選択され；前記構成要素が、貯蔵槽、フィルター、アプリケータ、センサ、回収システム、ユーザーインターフェース、コントロールシステム、システムソフトウェア、及びこれらの組み合わせから成る群から選択される、請求項１１〜１５のいずれか一項に記載の方法。
【請求項１７】
前記データが、非水性洗濯材料の供給レベルを含む、請求項１１〜１６のいずれか一項に記載の方法。
【請求項１８】
前記データがさらに、非水性洗濯材料の供給レベルと、前記非水性洗濯材料の最小供給レベルとの差を含む、請求項１１〜１７のいずれか一項に記載の方法。
【請求項１９】
前記転送が、インターネット、イントラネット、ネットワークシステム、音声回線及びデータ回線を含む電話、携帯電話技術、サテライト技術、ケーブル技術、電波、光通信、及びこれらの組み合わせを用いて起こる、請求項１１〜１８のいずれか一項に記載の方法。
【請求項２０】
前記ノードが機械又は人である、請求項１１〜１９のいずれか一項に記載の方法。
【請求項２１】
前記非水性洗濯材料の再供給量がユーザーの介入なしに受信される、請求項１１〜２０のいずれか一項に記載の方法。
【発明の詳細な説明】
【技術分野】
【０００１】
本発明は、非水性洗濯のための装置、ユーザー及びサービスノードの間でデータを転送する方法に関する。
【背景技術】
【０００２】
何世紀にもわたって、布地物品は水をベースとするプロセスを用いて洗浄されてきた。前世紀では、この雑用は自動洗濯機の開発によって大いに単純化された。しかし、洗濯プロセスを大いに単純化する一方で、自動洗濯機を用いる家庭用洗濯プロセスでさえなおも、色及び繊維による布地物品の事前の仕分けが相当必要になる。通常、白いものは色の付いた布地とは別に洗浄され、鮮やかな色の布地物品（例えば、暗赤色及び青色）はあまり色のついていない物品と別に洗浄される。自動洗濯機のための指示は、洗濯機の蓋の下側又は洗剤容器に見出されることが多い。こうした指示は、布地物品を洗浄するために正しい設定について詳述した情報を含む。単純化のために、この情報は、適切な洗浄設定を選択するために簡単に読むことができるチャート又は表の形式で示されることが多い。
【０００３】
つい最近では、水の保護活動及び環境問題が、洗濯機製造者及び洗濯洗剤製造者に家庭用洗濯プロセスに必要な水の量を減らすように促している。しかし、こうした取り組みは、主に水をベースとするプロセスから洗浄媒体を変更するのではなくむしろ、洗浄媒体による水の消費を減らすことに焦点をあてている。
【０００４】
具体的には家庭用の洗濯機と共に使用される、環状シロキサン類（特にシクロペンタシロキサン類、「Ｄ５」と呼ばれることもある）のような親油性流体を利用する非水性溶媒ベースの洗浄システムが、近年開発されている。このようなシステムは、縮み及び転染のような湿式洗濯に関連した損傷を引き起こすことなく織物物品を洗浄するのに特に望ましい。このようなシステムにおける布地洗浄性を最大限にするには、洗浄、柔軟化、仕上げなどのための添加剤を使用する必要がある。家庭でのこうしたシステムの使用は、ユーザーとの接触が生じる可能性のある必須の溶媒及び洗剤の使用による問題がある。そのため、こうしたシステムを溶媒及び洗剤にユーザーが曝されるのを最小限又は排除するように設計することが所望されており、例えば閉鎖システム又はシステムの操作サイクルの間に開放できないロックされたシステムによるものが極めて望ましい。
【０００５】
閉鎖されたこうしたシステムから生じる問題は、洗浄領域のドアを開けて添加剤を添加するという従来の手段又は既知の手段によって添加剤を洗浄サイクルに添加できないことである。そのため、操作サイクルの間に、閉鎖又はロックされたシステムである、親油性流体を利用する非水性溶媒ベースの洗浄システムに添加剤を添加する方法が所望されている。
【０００６】
さらに、非水性溶媒ベースの洗浄システムはますます複雑な技術を含んでいるので、それらの適切な操作がより困難になっている。故に、規則的な整備及びサービスが、特に溶媒及びその他の消耗品に関して重要になってきている。非水性溶媒ベースの洗浄システムは、通常ユーザーによるサービスが可能ではないので、様々な溶媒、洗剤などの消耗品の量を維持するためには、サービス技術者が必要となる。そのため、閉鎖又はロックされたシステムであり、自動化された洗濯機能と共に自動化された整備／補充機能を行うことができる非水性ベースの洗濯装置が所望されている。
【発明の開示】
【発明が解決しようとする課題】
【０００７】
それ故に、こうした技術のユーザーにこうした装置の適切な操作を指示するための、新しい洗濯技術、特に非水性ベースの洗濯技術における必要性が残っている。さらに、こうした技術のユーザーが、こうした装置の正しい実施について訓練を受ける必要性が残っている。また、所定の整備、供給、又はサービスの必要性を含むその操作状態を連絡するために集中ノードと連絡する新しい洗濯技術を組み込んだ装置の必要性が残っている。
【課題を解決するための手段】
【０００８】
本発明は、次を含む、非水性洗濯装置にて自動の家庭用洗濯プロセスを行う際に一人のユーザー又は複数のユーザーに指示する方法を開示する：布地物品を非水性洗濯装置に入れること、布地物品を記述するデータを入力すること、洗濯プロセスを決定するためにデータを処理すること、及び洗濯プロセスによって布地物品を処理すること。
【０００９】
本発明はまた、非水性洗濯装置によって自動的に家庭用洗濯を行う方法を開示する。
【００１０】
本発明はまた、ノードを含む非水性洗濯装置をサービス及び／又は再供給する方法を開示する。
【発明を実施するための最良の形態】
【００１１】
本明細書は本発明を特に指摘し、明確に請求する特許請求の範囲で完結しているが、添付の図面に関連した以下の好ましい実施形態の説明から、本発明のある態様がより良く理解されると考えられ、図面において同様の数字は図面を通じて同一の要素を示し、同一の下二桁を有する数字（例えば２０と１２０）は類似の又は一致する要素を意味し、その際、
本明細書は本発明を特に指摘し、明確に請求する特許請求の範囲で完結しているが、本発明は以下の説明から、更によく理解されると考えられる。
【００１２】
特に記載のない限り、すべての比率は重量比である。
【００１３】
異なって記される場合を除いて、分量、百分率、部分、及び比率を含む全ての量は、「約」という言葉により加減されるものと理解され、量は有効数字を示すことを意図しない。
【００１４】
別途記載される場合を除いて、冠詞「ａ」、「ａｎ」、及び「ｔｈｅ」は、「一又はそれ以上の」を意味する。
【００１５】
本明細書において、「及び／又は」は、事象Ｘ又は事象Ｙ、或いは両方を意味する。
【００１６】
本明細書において、「自動の家庭用洗濯プロセス」とは、通常消費者の住居にある自動洗濯機を用いて消費者が実施するような洗濯プロセス（本明細書では「家庭で」行われるプロセスと称する）を意味するだけでなく、自動洗濯機が家庭にあるように消費者が本質的に同じ洗濯プロセスに従う公衆のコインランドリーを含む。
【００１７】
本明細書では、「含む」とは、最終結果に影響を与えない他の工程及び他の成分を追加できることを意味する。この用語は、「から成る」及び「から本質的に成る」という用語を包含する。本発明の組成物及び方法／プロセスは、本明細書に記載される本発明の必須要素及び制限、並びに本明細書に記載される追加又は任意の成分、構成要素、工程、若しくは制限のいずれかを含む、それらから成る、及びそれらから本質的に成ることができる。
【００１８】
本明細書において、「家庭でのユーザー」とは、個人及び／又は家族及び／又は友人の布地物品（類）を洗濯するために非水性洗濯装置を用いる個人を意味する。
【００１９】
本明細書において、「専門のユーザー」とは、１）別の関係者に有料サービスとして布地物品（類）を洗濯するために非水性洗濯装置を用いる、及び／又は２）異なる関係者が布地物品（類）を洗濯装置にて洗濯するためにその装置に別の関係者のアクセス（通常、コインランドリーの場合には料金）を提供する個人又は団体を意味する。
【００２０】
本明細書において、「布地物品」は、従来型の洗濯プロセス又はドライクリーニングプロセスで習慣的に洗浄されているいずれかの物品を意味する。従って、その用語は、衣類、リンネル製品及び服地、衣類アクセサリー、及び床カバーの物品を包含する。この用語はまた、手下げバッグ、家具カバー、防水布など、全体的に又は部分的に布で作られた他の品目も包含する。
【００２１】
本明細書において、「布地を処理する又は布地処理組成物」又は「布地ケア組成物」は、処理すべき布地物品と直接接触する、あらゆる親油性流体含有組成物を意味する。前記用語は、リフレッシング、柔軟化、コンディショニング及びサイジングなどの洗浄以外の用途を包含すると理解されるべきである。そのため、「布地を処理する」及び「布地ケア」は本明細書において交換可能に使用される。任意の洗浄補助剤（例えば追加の洗浄性界面活性剤、漂白剤、香料など）及びその他の布地ケア剤は、組成物に添加されてもよい。
【００２２】
本明細書において、「ドライクリーニング専用の布地物品」は、従来の自動の水性家庭用洗濯プロセスによる洗濯には安全でなく、代わりにペルクロロエチレン（Perc）のような従来の非水性溶媒による特殊処理が必要であることを布地業界及び消費者が容易に識別できる布地物品を意味する。同様に、「ドライクリーニング専用」又は何らかの類似の記述で布地物品を識別する製造者タグは、消費者がこのような布地物品の識別をすることをやはり手助けすることが多い。
【００２３】
本明細書において、「機械洗濯可能な布地物品」は、従来の自動の水性家庭用洗濯プロセスによる洗濯に安全であることを布地業界及び消費者が容易に識別できる布地物品を意味する。「機械洗濯可能」又は何らかの類似の記述で布地物品を識別する製造者タグが、消費者のこのような布地物品の識別を助けることが多い。
【００２４】
本明細書において、「洗浄媒体」とは、これらに限定されないが、自動の家庭用洗濯プロセス中に洗濯物における布地物品を濡らすために使用される、流体（類）及び／又は溶液（類）及び／又は溶媒（類）及び／又はエマルション（類）を含む液体を意味する。
【００２５】
本明細書において、「非水性洗濯」とは、親油性流体を含む洗浄流体と布地物品を接触させること、及び洗浄流体の一部を布地物品から除去することを含む、布地物品を処理及び／又は洗浄するプロセスのことを指す。
【００２６】
本発明の実施形態は、１以上の次の工程を含む非水性洗濯能を提供する方法に関する：ａ）非水性洗濯装置を提供する工程、ｂ）その非水性洗濯装置を設置し、非水性洗濯装置をサービスする工程。
【００２７】
Ａ．非水性洗濯装置
米国特許第６，０５９，８４５号（２０００年５月９日発行）及び米国特許第６，０６３，１３５号（２０００年５月１６日発行）に記載されるような含浸型の商業用ドライクリーニングプロセスのために定義されるような種々の構成要素を有する装置は、住居に適した大きさ及び消費者の整備のために改善される場合に、本発明のプロセスを実施するために使用できるが、本プロセス用の含浸型プロセスには好ましくない。その理由には、洗濯場所；特に家庭での洗濯場所にて、多量の親油性流体を供給、保存及び洗浄することに関連する拘束（こうした特許に教示される商業用のドライクリーナーの大きさ及び操作に関するもの）が含まれる。
【００２８】
こうした理由のために、低容量の洗浄プロセス、例えば上記で本明細書に記載されたように低容量の洗浄媒体を用いて布地物品を完全に濡らす均一スプレープロセスを利用するものなどを提供する装置が、本発明の方法にて考慮される。例えば、従来の低量の水洗浄器具を水洗浄媒体よりむしろ少量の親油性流体含有洗浄媒体を送達するように変更することも考慮されるはずである：こうした従来の水洗浄器具は、例えば米国特許第４，４８９，５７４号；同第４，４８９，４５５号；同第５，１９１，６６９号；同第５，１９１，６６８号；同第５，２３３，７１８号；及び同第５，６７１，４９４号に記載されている。こうした低量の水性並びに非水性洗浄に有用な自動洗濯機の別の例は、米国特許第６，６９１，５３６号において詳細に記載されている。別の例は、断続的な回転及びスプレーに続いて、洗浄媒体が全てスプレーされるまでランダムにタンブルする親油性流体含有洗浄媒体で布地物品を均一に覆う洗濯装置である。別の例は、例えば、布地物品から抽出した後洗浄媒体を粒子除去フィルターに通し、次いで布地物品に直ちにスプレーし直すことによって、即時の再使用／再循環作用を介して親油性流体含有洗浄媒体を再使用する装置である。別の例は、同じ装置にて布地物品を乾燥もするように設計された洗濯装置である。これは、濡れた布地物品を取り扱う必要がなくユーザーにとって便利であるだけでなく、再使用又は洗浄のために親油性流体を全て回収できる。
【００２９】
１つの実施形態において、非水性洗濯装置７０を図１に示すが、それは、処理すべき布地物品及び非水性洗濯材料（本明細書にて以下で議論するが、図示せず）を受容できる布地含有チャンバー１を含み、ここで処理すべき布地物品は布地含有チャンバー１内に存在する場合、非水性洗濯材料は、布地含有チャンバー１に導入されてもよい。非水性洗濯装置７０はさらに、前記布地含有チャンバー１に保持されない、布地含有チャンバー１からの非水性洗濯材料を受容できる外側チャンバー２を含んでいてもよい。外側チャンバー２は、通常布地含有チャンバー１を取り囲む。布地含有チャンバー１及び外側チャンバー２は、通常円筒形の構成であり、図２に示されるように水平のアクセス開口部５８及び５９をそれぞれ有する。布地含有チャンバー１に対して通常固定された外側チャンバー２の水平な中央線は、外側チャンバー２内に可動式に取り付けられた可動性布地含有チャンバー１の回転軸１００と一致する。外側チャンバー２は、通常、外側チャンバー２によって受容された非水性洗濯材料が通って外側チャンバー２から出る出口又は排出口７を含む。布地含有チャンバー１は、通常、駆動軸４９（図２）によって外側チャンバー２に回転可能に固定されている。図２の断面図において、外側チャンバー２は、外側端部が円形のドア５９を有していてもよく、ドア５９は開閉可能であり、非水性洗濯装置７０から布地物品を出し入れするために使用されてもよい。布地含有チャンバー１は、非水性洗濯装置７０から布地物品を出し入れするために使用されるアクセス開口部５８を有していてもよく；通常、それは外側チャンバー２のドア５９の外側端部と同心円状に位置合わせされる。非水性洗濯装置７０が操作中の場合、ドア５９は閉鎖位置にあり、通常は非水性洗濯装置７０が操作中の場合はロック手段（図示せず）によってロックされている。
【００３０】
少なくとも１つの大きい貯蔵槽１９は、アプリケータ２６、通常はスプレーノズルを介して布地含有チャンバー１に放出される非水性洗濯材料を含有してもよい。所望の非水性洗濯材料は、通常はポンプ２４を用いてポンプすることによってアプリケータ２６に送達される。大きい貯蔵槽１９に保存された非水性洗濯材料は、通過ライン２２からポンプされ、まずバルブ２３を通過し、次いでポンプ２４を通過し、最後にライン２５を通過してアプリケータ２６に至る。
【００３１】
非水性洗濯材料が布地物品チャンバー１に入った後、それは外側チャンバー２に回収される。非水性洗濯材料は、排出口７を使用することによって外側チャンバー２を出て、回収槽８に入る。家庭用ドライクリーニング材料を回収槽８に放出する前に、家庭用ドライクリーニング材料はフィルター６にて濾過される。通常、エアコンプレッサ（図示せず）は大きい貯蔵槽１９に圧力ラインによって連結される。家庭用ドライクリーニング材料を運ぶ他の手段には、重力、遠心分離、隔膜、ピストン、又はぜん動ポンプが含まれてもよい。
【００３２】
フィルター６は、糸くず、布地繊維及び大きな粒子状汚れのような固体のごみを除去するので、それらは回収槽８の底部に溜まったり、下流のラインに詰まったりしない。また、ポンプ１０は固体によってより容易に損傷する種類の通常より高い圧力のポンプであるので、フィルター６は、ポンプ１０の確実な操作を保証する。通常、いずれかの固体のごみが、ユーザーを介さずに固体ごみと相互作用して廃棄されるように、自動化手段（図示せず）をフィルター６と関連させてもよい。自動化手段は、フィルター６からの固体のごみを除去し、それらを排出口に廃棄されるように移動させる機構であってもよい。あるいは、自動化手段は、フィルターから固体のごみを除去し、固体のごみを、非水性洗濯装置７０からユーザーによって後に取り除かれることができる別のごみ容器（図示せず）に移す機構であってもよい。
【００３３】
自動化手段（図示せず）は、フィルターを通じて気体又は流体をバックフラッシュ（backflushed）し、あらゆる固体のごみを除去するシステムであってもよい。本明細書で使用する時、「バックフラッシュ（backflushed）」とは、一般には流体が排出口７から回収槽８に通過する方向とは反対に気体又は流体を強制的にフィルターに通すことを意味する。
【００３４】
ごみ容器（図示せず）は、安価で、相対的に非水性洗濯材料をはじき、容易に捨てることができる材料、例えばプラスチックバック、プラスチック容器、コーティングされたペーパーバック、コーティングされた紙容器、及びこれらのいずれかの組み合わせを含んでもよい。使用される時、「相対的に非水性洗濯をはじく」とは、非水性洗濯材料が、数時間又は数日放置したとしても、容器材料から容易に浸透しないことを意味する。通常、容器材料は、環境に優しく、生分解性特性を有する。
【００３５】
非水性洗濯材料は、種々の構成成分、例えば親油性流体、界面活性剤、加工助剤、添加剤、極性溶媒及び洗浄補助剤を含むことができる。多くのこうした構成成分の化学的特性のために、１つの実施形態では非水性洗濯装置は、こうした構成成分にユーザーが曝されるのを最小限にする又は排除するために操作中はロックされ、及び／又はそれ自体密閉される。
【００３６】
別の実施形態において、非水性洗濯装置は「バイモーダル式洗濯機」であることができる。ここで、「バイモダール式洗濯機」とは、ユーザー若しくは専門のユーザーの入力若しくはノードからのデータ若しくは布地物品からのデータのいずれかに基づいて、水性洗濯サイクルを有する従来の水性自動洗濯機として、又は非水性洗濯装置として機能する能力をもつ一体型の装置のことを指す。こうした機械の非限定例は、ＵＳ２００３/０，０４６，９６３Ａ１に開示されている。こうした装置では、ユーザーが非水性洗濯サイクル又は従来の水洗浄サイクルのいずれを行うかを選択できる。
【００３７】
Ｂ．非水性洗濯装置の設置
本発明の別の態様は、非水性洗濯装置を設置する工程を含む。非水性洗濯装置は、商業地（例えば、商業用のドライクリーナー、セルフサービスのコインランドリー、共同住宅の共通領域など）に設置されてもよく、又は家庭内の箇所（例えば、家庭のユーザーの住居、アパート、移動住宅など）に設置されてもよい。設置は、親油性流体及び／又は補助剤流体（例えば、親油性流体は非水性洗濯装置に自蔵されており、補助剤流体も非水性洗濯装置に自蔵されても、及び／又はユーザーによって非水性洗濯装置に直接添加されていてもよい）の外部供給源を必要としない非水性洗濯装置については、非水性洗濯装置を単に送達し、包装を解くことを含んでもよい。あるいは、設置はさらに、非水性洗濯装置を親油性流体供給源、衝突（impinging）気体供給源、補助剤流体供給源、配管設備、設置箇所の外側への排水路、及び設置箇所の外側への換気装置を連結させることを含んでもよい。バイモーダル式洗濯装置を使用する場合、水供給源への連結も設置工程の一部である。多くの場合、洗濯装置は、設置の間に、又はユーザーによって設置の後に動力源に容易に連結される。
【００３８】
１つの実施形態において、非水性洗濯装置は、非水性洗濯装置に含まれる１以上の次のものを含むことなしに設置箇所に送達される：親油性流体、衝突気体、及び／又は補助剤流体。こうした実施形態において、設置工程はさらに、設置箇所にてこうした流体及び／又は気体を非水性洗濯装置に添加することを含んでもよい。
【００３９】
設置はさらに、非水性洗濯装置が正常に運転するかを確認するために、設置する団体による非水性洗濯装置の試験を含んでいてもよい。
【００４０】
別の実施形態において、設置は、非水性洗濯装置の使用方法についての訓練資料（例えば、ハードコピー、ビデオ、又はコンピュータのファイル説明書）をユーザーに提供することを含んでもよい。あるいは、こうした訓練は、非水性洗濯装置の操作方法を設置者がユーザーに物理的に例示することで行われてもよい。
【００４１】
「バイモーダル式」洗濯装置の１つの実施形態において、水性洗濯サイクルは、従来の水性の家庭用自動洗濯プロセスについて使用されることができ、非水性洗濯プロセスが、消費者に布地物品をドライクリーニングするように指示するケアラベルをもつ布地物品に使用される。こうした実施形態において、ユーザーは、所定の洗浄タスクについて最良のサイクルを選択し、ケアラベルの観点から全ての布地物品を選択する柔軟性をもつ。
【００４２】
非水性自動洗濯機について、洗濯機が従来の水性洗濯サイクルも行う付加能力を有するか、又は非水性洗濯サイクルのみを有するかにかかわらず、ユーザーは、最適な性能を達成するために非水性自動洗濯機の操作方法を訓練されなければならない。この訓練は、非水性自動洗濯機の操作方法、並びに非水性／水性洗濯について適切にドライクリーニングだけの布地物品及び／又は洗濯機で洗浄可能な布地物品の選択方法に関する指示を含む。これには、購入時の販売員による指示、設置中の訓練、オンラインウェブサイトの訓練資料、ビデオ訓練、プロセスを通してユーザーを導くための対話式タッチパネルディスプレイを含む機械上の指示が挙げることができるが、これらに限定されない。
【００４３】
Ｃ．処理データの収集
本発明の非水性洗濯装置は、装置の操作及び布地物品の洗濯に関連したデータを受信、保存及び転送できる。非水性洗濯装置は、ユーザーからデータを受信することによって、布地物品からデータを受信することによって、ノードからデータを受信することによって、及びこれらの組み合わせからデータを受信することによってデータを収集できる。好ましい方法において、データはユーザーから受信される。
【００４４】
１つの実施形態において、データはユーザーによって入力される。こうしたデータは、これらに限定されないが、布地の種類、しみの種類、汚れのレベル、臭いのレベル、着色組成物、染色堅ろう度、洗濯物の大きさなどを含む布地物品の洗濯に関するいずれかのパラメータを含んでいてもよい。データを非水性洗濯装置に入力するあらゆる方法は、例えばユーザーインターフェースを通してユーザーによって達成されてもよいデータ入力を利用できる。
【００４５】
別の実施形態において、データは布地物品自体から受信された。１つの実施形態において、非水性洗濯装置は、布地物品に付いた識別タグをスキャンすることによって洗濯される布地物品の種類を決定する。こうした衣類の識別タグは、ＰＣＴ国際公開特許ＷＯ０２/２７６０８Ａ１に開示されている。別の実施形態において、非水性洗濯装置は、布地物品からの放出物（emanations）をスキャンすることによって必須プロセスデータを決定する。具体的には、悪臭及びしみ組成物を、非水性洗濯装置が調べ、装置の操作及び布地物品の洗濯に関連するデータを抽出する。別の実施形態において、非水性洗濯装置は、複数のセンサを備えており、各センサは洗濯プロセスに関するパラメータを決定できる。自動化洗濯装置に有用なこうしたセンサの例としては、ロードセンサ、臭気センサ、色センサ、汚れセンサ、衣類タグセンサなどが挙げられるが、これらに限定されない。
【００４６】
さらに別の実施形態において、データはユーザー及び／又は洗濯装置から受信され、情報を受信し、１以上の非水性洗濯装置又はユーザーに送信できるノードに転送される。こうしたノードは、ユーザー又は非水性洗濯装置によってそこに送信されたいずれかの情報を処理できる。本発明に有用な情報としては、布地の種類、洗濯物、色のような布地物品に関する情報；洗浄溶媒の濃度、組成物又は添加剤の濃度、フィルターの状態、装置内の連結ライン、ポンプ、バルブの状態のような洗濯装置に関する情報が挙げられるが、これらに限定されない。情報は、特定の予め定められたパラメータ又は特定の個別条件に対してノードによって処理及び／又は分析され、ノードは装置、ユーザー又はサービスプロバイダーに応答データを送信し、その応答データの受信者が、それに応じて、例えば特定の処理プロセスを開始し、又は洗濯装置にサービスを導入する動作を行うことができるようにする。
【００４７】
ノードは、通常中央集積応答センターである。１つの実施形態において、ノードは、データ処理能を有する機械、例えば１以上のデータ処理装置をもつコンピュータを含む。別の実施形態において、ノードはコールセンターにいる人又はちょうど装置にアクセスできるユーザーを含む。さらに別の実施形態において、ノードは、情報を受信し、その受信した情報を処理し、応答データを送信するために協同的に作用する人及び機械の組み合わせである。
【００４８】
Ｄ．ユーザーインターフェース
非水性洗濯装置のユーザーインターフェースは、ユーザーに処理データを連絡でき、非水性洗濯装置によって使用するためにユーザーによって入力されたデータを処理できる手段を含む。好ましい消費者インターフェース手段は、ボタン、ダイアル、タッチスクリーン、リモートコントロール、コンピュータスクリーン／マウス／キーボード、及びそれらのいずれかの組み合わせを含む。さらに、複数のセレクタが存在することもまさに複数の本発明の範囲内である。例えば、１つのセレクタを用いて、消費者／オペレータは、洗濯物の大きさを入力でき、別のセレクタを用いて処理されるべき布地の種類を入力できる。あるいは、これら機能の全てを１つのセレクタにて行うことができる。こうしたセレクタのいずれかは、少なくとも２つのセレクタ位置を有する。セレクタ位置の可能な組み合わせは：
１.「ドライクリーニング」、「デリケートケアラベル」及び「軽い汚れ」から選択される少なくとも１つ、並びに「水洗浄」、「ノーマル」、及び「頑固な汚れ」から選択される少なくとも１つ；
２.「ドライクリーニング」、「デリケートケアラベル」及び「軽い汚れ」から選択される少なくとも１つ、「リフレッシュ」、「脱臭」、「布地処理」及び「リンス／柔軟化」から選択される１つ；
３.「ドライクリーニング」、「デリケートケアラベル」、「軽い汚れ」及び「頑固な汚れ」から選択される少なくとも１つ；並びに「漂白剤及び洗剤」、「漂白剤のみ」及び「洗剤のみ」から選択される少なくとも１つ；を含む。
【００４９】
１つの好ましい実施形態において、いずれかのプログラム可能なセレクタは、「ドライクリーニング」、「デリケートケアラベル」及び「軽い汚れ」から選択される少なくとも１つ、「水洗い」、「ノーマル」及び「頑固な汚れ」から選択される少なくとも１つ、及び「リフレッシュ」、「脱臭」、「布地処理」及び「リンス／柔軟化」から選択される少なくとも１つを含む少なくとも３つのセレクタ位置を有する。
【００５０】
ユーザーが一旦所望の洗浄オプションを選択したら、ユーザーからの入力は、ユーザーインターフェースから非水性洗濯装置に転送され、その装置において入力が処理されて、非水性洗濯装置によって適切な動作が実行される。
【００５１】
非水性洗濯装置のユーザーインターフェースは、所望により、ユーザーのために装置情報を表示することができる。こうした情報は、整備スケジュールを含む非水性洗濯装置の状態、非水性洗濯材料濃度、ノードの状態、布地処理サイクルの現在の状態、布地処理サイクルの残り時間、ノードから送信される情報などを含むことができる。
【００５２】
Ｅ．データ送達
ノードから非水性洗濯装置へ情報を送達するいずれかの方法が使用できる。好適な送達方法は、インターネットを使用すること、イントラネットを使用すること、ネットワークシステムを使用すること、音声回線及びデータ回線を含む電話、携帯電話技術、サテライト技術、ケーブル技術、電波、光通信、及びこれらの組み合わせを含む。
【００５３】
Ｆ．データ処理
ユーザー、布地物品及び／又はノードからのデータを収集する際、データは、非水性洗濯装置のために１組の指示に処理されることができる。１つの実施形態において、データは布地物品の処理ために１組の指示に処理される。こうした処理の指示は、洗濯プロセスに関連する指示、例えば前処理及び後処理、添加剤の添加（例えば、添加剤の種類、添加剤の質、添加剤を添加する順序又はサイクル）、布地処理プロセス、乾燥プロセスなどを含むことができる。別の実施形態において、送達されたデータは、洗濯プロセスにおいて装置が単に指示を実行するような指示を含む。
【００５４】
Ｇ．洗濯プロセス
本発明の洗濯プロセスは、通常、非水性洗濯装置内で親油性流体を用いて布地物品を処理することを含む。親油性流体を適用する１つの好ましい方法は、複数の回転、スプレー及びタンブルサイクルを含む。所望により、非水性洗濯装置内の親油性流体に添加剤を追加及び／又は混合する。
【００５５】
「親油性流体」又は「親油性洗浄流体」は、本明細書で使用する時、水の２０重量％まで水と混合し得るいずれかの液体又は液体の混合物を意味する。一般に、好適な親油性流体は周囲温度及び周囲圧力において完全な液体であり得、容易に溶解する固体、例えば約０℃〜約６０℃の範囲の温度で液体になるものであり得、又は例えば２５℃及び１０１ｋＰａ（１気圧）圧力の周囲温度及び周囲圧力において液相及び蒸気相の混合物を含み得る。
【００５６】
本発明の親油性流体は、不燃性であるか、又は既知の従来型ドライクリーニング流体の特性に等しいか、好ましくはこれを超える比較的高い引火点及び／又は低いＶＯＣ特性を有するのが好ましく、ここでこれらの用語はドライクリーニング産業で使用される従来の意味を有する。
【００５７】
好適な親油性流体物質の非限定例は、シロキサン類、他のシリコーン類、炭化水素類、グリコールエーテル類、グリセリンエーテル類のようなグリセリン誘導体、過フッ素化アミン、過フッ素化及びハイドロフルオロエーテル溶媒、低揮発性の非フッ素化有機溶媒、ジオール溶媒、その他の環境に優しい溶媒及びこれらの混合物を含む。
【００５８】
本明細書で使用する時、「シロキサン」とは、水中又は低級アルコール中で非極性及び不溶性であるシリコーン流体を意味する。直鎖シロキサン（例えば、米国特許第５，４４３，７４７号及び同第５，９７７，０４０号を参照）及び環状シロキサンが本明細書に有用であり、環状シロキサンは、オクタメチルシクロテトラシロキサン（テトラマー）、ドデカメチルシクロヘキサシロキサン（ヘキサマー）、及び好ましくはデカメチルシクロペンタシロキサン（ペンタマー、一般に「Ｄ５」の名称で呼ばれる）から成る群より選択される環状シロキサンを含む。好ましいシロキサンは、約５０％を超える環状シロキサンペンタマーを、より好ましくは約７５％を超える環状シロキサンペンタマーを、最も好ましくは少なくとも約９０％の環状シロキサンペンタマーを含む。やはり本発明で使用するのに好ましいのは、少なくとも約９０％（好ましくは少なくとも約９５％）のペンタマー並びに約１０％未満（好ましくは約５％未満）のテトラマー及び／又はヘキサマーを有する環状シロキサンの混合物のシロキサンである。
【００５９】
親油性流体は、ドライクリーニング溶媒の部分、とりわけフッ素化溶媒、又は過フッ素化アミンを含むより新しい型を含み得る。パーフルオロトリブチルアミンのような一部の過フッ素化アミンは、親油性流体として使用するには適さないが、親油性流体含有組成物中に存在し得る多くの潜在的な補助剤の１つとして存在してもよい。
【００６０】
他の好適な親油性流体として、ジオール溶媒系、例えば、Ｃ６又はＣ８又は更に高級のジオールなどの高級ジオール類、環状及び非環状型の両方を含む有機シリコーン溶媒類など、並びにこれらの混合物などが挙げられるが、これらに限定されない。
【００６１】
低揮発性の非フッ素化有機溶媒の非限定的な例として、例えばオレアン（OLEAN；登録商標）及びその他のポリオールエステル類、又はある種の比較的非揮発性の生分解性中鎖分枝状石油留分が挙げられる。
【００６２】
グリコールエーテル類の非限定的な例として、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられる。
【００６３】
シロキサン類に加えて他のシリコーン溶媒の非限定的な例は、文献で周知であり、例えば、カークオスマー（Kirk Othmer）の「工業化学百科事典（Encyclopedia of Chemical Technology）」を参照されたい。また多数の販売元から入手可能であり、ＧＥシリコーンズ（GE Silicones）、東芝シリコーン、バイエル（Bayer）、及びダウコーニング（Dow Corning）が含まれる。例えば、１つの好適なシリコーン溶媒として、ＧＥシリコーンズ（GE Silicones）から入手可能なＳＦ−１５２８がある。
【００６４】
グリセリン誘導体溶媒の非限定的な例には、次の構造を有する物質が含まれる：
【化１】
2007521077.tif 000003
式中、Ｒ１、Ｒ２及びＲ３は、Ｈ；分枝又は直鎖、置換又は非置換Ｃ１〜Ｃ３０アルキル、Ｃ２〜Ｃ３０アルケニル、Ｃ１〜Ｃ３０アルコキシカルボニル、Ｃ３〜Ｃ３０アルキレンオキシアルキル、Ｃ１〜Ｃ３０アシルオキシ、Ｃ７〜Ｃ３０アルキレンアリール；Ｃ４〜Ｃ３０シクロアルキル；Ｃ６〜Ｃ３０アリール；及びこれらの混合物からそれぞれ独立して選択される。Ｒ１、Ｒ２及びＲ３の２つ又はそれ以上は、Ｃ３〜Ｃ８芳香族又は非芳香族、複素環又は非複素環を共に形成し得る。
【００６５】
好適なグリセリン誘導体溶媒類の非限定的な例として、２，３−ビス（１，１−ジメチルエトキシ）−１−プロパノール；２，３−ジメトキシ−１−プロパノール；３−メトキシ−２−シクロペントキシ−１−プロパノール；３−メトキシ−１−シクロペントキシ−２−プロパノール；炭素酸（２−ヒドロキシ−１−メトキシメチル）エチルエステルメチルエステル；グリセロールカーボネート、及びこれらの混合物が挙げられる。
【００６６】
その他の環境に優しい溶媒類の非限定的な例として、オゾン形成ポテンシャルが約０〜約０．３１である親油性流体、蒸気圧が約０〜約１３Ｐａ（約０〜約０．１ｍｍＨｇ）である親油性流体、及び／又は蒸気圧は１３Ｐａ（０．１ｍｍＨｇ）より大きいが、オゾン形成ポテンシャルが約０〜約０．３１である親油性流体が挙げられる。これまでに説明していないそのような親油性流体の非限定的な例として、カーボネート溶媒類（すなわち、メチルカーボネート類、エチルカーボネート類、エチレンカーボネート類、プロピレンカーボネート類、グリセリンカーボネート類）及び／又はコハク酸塩溶媒（すなわち、ジメチルコハク酸塩類）が挙げられる。
【００６７】
本明細書で使用する時、「オゾン反応性」は、大気中で、ＶＯＣがオゾンを形成する能力の測定値である。それは、揮発性有機物１グラムあたり形成されるオゾンのグラム数として測定される。オゾン反応性を決定するための方法論は、Ｗ．Ｐ．Ｌ．カーター（W.P.L.Carter）「揮発性有機化合物のオゾン反応度の発展（Development of Ozone Reactivity Scales of Volatile Organic Compounds）」、空気・廃棄物管理協会誌（Journal of the Air & Waste Management Association）、４４巻、８８１〜８９９頁（１９９４年）にさらに論じられている。使用する時、「蒸気圧」は、カリフォルニア大気資源局（California Air Resources Board）の方法３１０に定義される技術によって測定可能である。
【００６８】
好ましくは、親油性流体は、５０重量％超過のシクロペンタシロキサンの親油性流体、（「Ｄ５」）及び／又はほぼ類似の揮発性を有する直鎖類似体を含み、所望により他のシリコーン溶媒によって補足される。
【００６９】
親油性洗浄流体は、所望により、親油性流体及び補助剤成分の組み合わせであってもよい。親油性洗浄及び補助剤成分は、布地物品上に同時に分配される混合物であってもよく、又はそれらは別個の供給源によって追加されて布地物品上に同時に分配されてもよい。あるいは、親油性流体及び補助剤成分は、親油性流体に次いで補助剤成分又は補助剤成分に次いで親油性流体などのように、あらゆる可能な組み合わせにおいて別個に追加されてもよい。親油性流体及び補助剤成分は、別個に保存されて適用前に混合されてもよく、又は親油性洗浄流体として共に保存される混合物として保存されてもよい。補助剤成分は、汚れ除去を改善するために、及び／又は処理される布地物品に望ましい特性／仕上げを付与するために、親油性流体に追加される。補助剤成分の組み合わせ又は混合物もまた想定される。
【００７０】
本発明の１つの実施形態は、本発明の装置にて布地物品を処理するための方法である。本発明のこの態様の１つの実施形態において、方法は、非水性洗濯装置内にて１以上の前記布地物品を処理することを含み、以下のことが可能である。
【００７１】
（ｉ）布地物品の保持された洗濯物に親油性洗浄流体を均等に分配すること、及び
（ｉｉ）前記物品から前記親油性洗浄流体を除去すること。
【００７２】
本発明の装置にて布地物品を処理するための、本発明の方法の別の実施形態。本発明のこの態様の１つの実施形態では、方法は以下を含む。
【００７３】
（Ｉ）従来のいずれかのプロセスによって、布地物品又は布地物品の洗濯物を予め染み抜きすること、浸漬又は前処理することの１以上の工程；及び
（ＩＩ）前述の器具の請求項のいずれかに従って、器具内で前記布地物品又は布地物品の洗濯物を処理する少なくとも１つの工程。
【００７４】
「従来のいずれかのプロセスによって、布地物品又は布地物品の洗濯物を予め染み抜きすること、浸漬又は前処理することの１以上の工程」とは、ちょうど従来の家庭用又は商業用水性洗濯装置、又は商業用ドライクリーニング装置のいずれかで洗浄又は処理される前にそれらが処理されるかのように、布地物品又は洗濯物が前処理されること、予め染み抜きされること、又は浸漬されることを意味する。例えば、漂白剤溶液を入れた水性浴に布地物品又は洗濯物を沈めて一晩中浸漬させ、次に本発明の装置にて処理し；又は前処理溶液を布地物品の染みに適用して、次にこれを本発明の装置にて処理するなどである。
【００７５】
本発明のこの態様の別の実施形態では、方法は以下を含む。
【００７６】
（Ｉ）前述の器具の請求項のいずれかに従って、器具内で布地物品又は布地物品の洗濯物を処理する少なくとも１つの工程、及び
（ＩＩ）従来のいずれかのプロセスによって、前記布地物品又は布地物品の洗濯物を後処理する１以上の工程。
【００７７】
「従来のいずれかのプロセスによって、布地物品又は布地物品の洗濯物を後処理する１以上の工程」とは、まさに従来の家庭用又は商業用水洗濯装置、又は商業用ドライクリーニング装置内で洗浄又は処理された後に、それらが後処理されるかのように、布地物品又は洗濯物が後処理されることを意味する。例えば、布地物品が本発明の装置内で処理された後、柔軟仕上げ剤に接触するなどである。
【００７８】
（添加剤）
非水性洗濯材料は、多くの異なる構成成分を有し得る。布地物品を効果的に処理するために利用し得るいかなる構成成分をも使用することができる。以下の構成成分は、有効な添加剤の非限定例を示す。
【００７９】
（非イオン性界面活性剤）
本発明の使用に好適な界面活性剤は、以下の一般式を有する：
（Ｉ）Ｙｕ−（Ｌｔ−Ｘｖ）ｘ−Ｙ’ｗ
（ＩＩ）Ｌｙ−（Ｘｖ−Ｙｕ）ｘ−Ｌ’ｚ及びこれらの混合物。
【００８０】
式中、Ｌ及びＬ’は溶媒適合（又は親油性）部分であり、これは以下から独立して選択される：
（ａ）Ｃ１〜Ｃ２２アルキル又はＣ４〜Ｃ１２アルコキシ、直鎖又は分枝鎖、環状又は非環状、飽和又は不飽和、置換又は非置換；
（ｂ）以下の式を有するシロキサン：
ＭａＤｂＤ’ｃＤ”ｄ
式中、ａは０〜２であり；ｂは０〜１０００であり；ｃは０〜５０であり；ｄは０〜５０であり、但しａ＋ｃ＋ｄは少なくとも１であり；
ＭはＲ１３−ｅＸｅＳｉＯ１／２であり、式中、Ｒ１は独立してＨ、又はアルキル基であり、Ｘはヒドロキシル基であり、及びｅは０又は１であり；
ＤはＲ４２ＳｉＯ２／２であり、式中、Ｒ４は独立してＨ又はアルキル基であり；
Ｄ’は、Ｒ５２ＳｉＯ２／２であり、式中、Ｒ５は独立してＲ２であり、但し、少なくとも１つのＲ５が（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であり、式中、Ｒ３は独立してＨ、アルキル基又はアルコキシ基であり、ｆは１〜１０であり、ｇは０又は１であり、ｈは１〜５０であり、ｉは０〜５０であり、ｊは０〜５０であり、ｋは４〜８であり、Ｃ６Ｑ４は非置換又は置換であり、ＱはＨ、Ｃ１〜１０アルキル、Ｃ２〜１０アルケニル、及びこれらの混合物から独立して選択され、及び
Ｄ”はＲ６２ＳｉＯ２／２であり、式中、Ｒ６は独立してＨ、アルキル基又は（ＣＨ２）ｌ（Ｃ６Ｑ４）ｍ（Ａ）ｎ−［（Ｔ）ｏ−（Ａ’）ｐ−］ｑ−（Ｔ’）ｒＺ（Ｇ）ｓであり、式中、ｌは１〜１０であり、ｍは０又は１であり、ｎは０〜５であり、ｏは０〜３であり、ｐは０又は１であり、ｑは０〜１０であり、ｒは０〜３であり、ｓは０〜３であり、Ｃ６Ｑ４は、非置換又は置換であり、Ｑは、Ｈ、Ｃ１〜１０アルキル、Ｃ２〜１０アルケニル、及びこれらの混合物から独立して選択され、Ａ及びＡ’は、それぞれ独立に連結部分であって、エステル、ケト、エーテル、チオ、アミド、アミノ、Ｃ１〜４フルオロアルキル，Ｃ１〜４フルオロアルケニル、分枝鎖若しくは直鎖ポリアルキレンオキシド、ホスフェート、スルホニル、サルフェート、アンモニウム、及びこれらの混合物を表し、Ｔ及びＴ’は、それぞれ独立に、非置換又は置換の、Ｃ１〜３０直鎖若しくは分枝鎖アルキル又はアルケニル又はアリールであり、Ｚは、水素、カルボン酸、ヒドロキシ、ホスフェート、ホスフェートエステル、スルホニル、スルホネート、サルフェート、分枝鎖又は直鎖ポリアルキレンオキシド、ニトリル、グリセリル、非置換又はＣ１〜３０アルキル若しくはＣ２〜１０アルケニルで置換されているアリール、非置換又はＣ１〜１０アルキル又はＣ２〜１０アルケニルで置換されている炭水化物、又はアンモニウムであり、Ｇは、Ｈ＋、Ｎａ＋，Ｌｉ＋、Ｋ＋、ＮＨ４＋、Ｃａ＋２、Ｍｇ＋２、Ｃｌ−、Ｂｒ−、Ｉ−、メシラート、若しくはトシラートなどの陰イオン又は陽イオンであり、Ｄ”は、Ｃ１〜Ｃ４アルキル又はヒドロキシ基でキャップされることができ；
Ｙ及びＹ’は親水性部分であり、これはヒドロキシ；ポリヒドロキシ；Ｃ１〜Ｃ３アルコキシ；モノ−又はジ−アルカノールアミン；Ｃ１〜Ｃ４アルキル置換アルカノールアミン；Ｏ、Ｓ、Ｎを含む置換された複素環；サルフェート；カルボキシレート；カーボネートから独立して選択され、Ｈ及び／又はＨ’がエトキシ（ＥＯ）又はプロポキシ（ＰＯ）である時、これはＲでキャップされなければならず、Ｒは以下から成る群から選択される：
１〜３個のヘテロ原子を含有する、４〜８員の置換又は非置換の複素環、及び
約１〜約３０個の炭素原子を有する直鎖又は分枝鎖、飽和又は不飽和、置換又は非置換、環状又は非環状、脂肪族又は芳香族の炭化水素ラジカル；
Ｘは、Ｏ；Ｓ；Ｎ；Ｐ；Ｏ、Ｓ、Ｎ、Ｐが入り込んだ、Ｃ１〜Ｃ２２アルキルの、線状又は分枝状、飽和又は不飽和、置換又は非置換、環式又は非環式、脂肪族又は芳香族のもの；グリシジル、エステル、アミド、アミノ、ＰＯ４２−、ＨＰＯ４−、ＰＯ３２−、ＨＰＯ３−から選択される架橋結合であり、これらは、プロトン化しており、又は非プロトン化しておらず；
ｕ及びｗは独立して０〜２０から選択される整数であり、但しｕ＋ｗ≧１であり；
ｔは１〜１０の整数であり；
ｖは０〜１０の整数であり；
ｘは１〜２０の整数であり；及び
ｙ及びｚは独立して１〜１０から選択される整数である。
【００８１】
上記の式を有する界面活性剤の非限定例は、以下を含む：
アルカノールアミン類；ホスフェート／ホスホネートエステル；ジェミニジオール、ジェミニアミドアルコキシラート、ジェミニアミノアルコキシラートを含むがこれらに限定されないジェミニ界面活性剤；キャップされた非イオン性界面活性剤；非イオン系シリコーンエトキシレート類、シリコーンアミン誘導体などの（５）キャップ構造をもつシリコーン界面活性剤；アルキルアルコキシラート類；ポリオール界面活性剤；及びこれらの混合物。
【００８２】
別の部類の界面活性剤は、シロキサン系界面活性剤を含み得る。この用途のシロキサン系界面活性剤は、他の用途向けのシロキサンポリマーであってもよい。シロキサン系界面活性剤は、典型的には、重量平均分子量０．０００８〜０．０３３ａｇ（５００〜２０，０００ダルトン）を有する。ポリ（ジメチルシロキサン）に由来するこのような物質は、当該技術分野において周知である。本発明では、このようなシロキサン系の界面活性剤全てが好適であるとは限らないが、それは、これらが親油性流体自体によって提供される洗浄のレベルと比較して、改善された汚れの洗浄を提供しないためである。
【００８３】
シロキサン系の好適な界面活性剤は、次式を有するポリエーテルシロキサンを含む：
ＭａＤｂＤ’ｃＤ”ｄＭ’２−ａ
式中、ａは０〜２であり；ｂは０〜１０００であり；ｃは０〜５０であり；ｄは０〜５０であり、但しａ＋ｃ＋ｄは少なくとも１であり；
ＭはＲ１３−ｅＸｅＳｉＯ１／２であり、式中、Ｒ１は、独立してＨ、又はアルキル基であり、Ｘはヒドロキシル基であり、ｅは０又は１であり；
Ｍ’はＲ２３ＳｉＯ１／２であり、式中、Ｒ２は、独立してＨ、アルキル基、又は（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であり、但し、少なくとも１つのＲ２が（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であり、式中、Ｒ３は独立してＨ、アルキル基又はアルコキシ基であり、ｆは１〜１０であり、ｇは０又は１であり、ｈは１〜５０であり、ｉは０〜５０であり、ｊは０〜５０であり、ｋは４〜８であり、Ｃ６Ｑ４は非置換又は置換であり、Ｑは、Ｈ、Ｃ１〜１０アルキル、Ｃ２〜１０アルケニル、及びこれらの混合物から独立して選択され；
ＤはＲ４２ＳｉＯ２／２であり、式中、Ｒ４は、独立してＨ又はアルキル基であり；
Ｄ’はＲ５２ＳｉＯ２／２であり、式中、Ｒ５は独立してＲ２であり、但し、少なくとも１つのＲ５が（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であり、式中、Ｒ３は独立してＨ、アルキル基又はアルコキシ基であり、ｆは１〜１０であり、ｇは０又は１であり、ｈは１〜５０であり、ｉは０〜５０であり、ｊは０〜５０であり、ｋは４〜８であり；Ｃ６Ｑ４は非置換又は置換であり、Ｑは独立してＨ、Ｃ１〜１０アルキル、Ｃ２〜１０アルケニル、及びこれらの混合物から選択され、及び
Ｄ”はＲ６２ＳｉＯ２／２であり、式中、Ｒ６は独立してＨ、アルキル基又は（ＣＨ２）ｌ（Ｃ６Ｑ４）ｍ（Ａ）ｎ−［（Ｔ）ｏ−（Ａ’）ｐ−］ｑ−（Ｔ’）ｒＺ（Ｇ）ｓであり、式中、ｌは１〜１０であり、ｍは０又は１であり、ｎは０〜５であり、ｏは０〜３であり、ｐは０又は１であり、ｑは０〜１０であり、ｒは０〜３であり、ｓは０〜３であり、Ｃ６Ｑ４は非置換又は置換であり、Ｑは独立してＨ、Ｃ１〜１０アルキル、Ｃ２〜１０アルケニル、及びこれらの混合物から選択され、Ａ及びＡ’は、それぞれ独立して連結部分であって、エステル、ケト、エーテル、チオ、アミド、アミノ、Ｃ１〜４フルオロアルキル、Ｃ１〜４フルオロアルケニル、分枝鎖若しくは直鎖ポリアルキレンオキシド、ホスフェート、スルホニル、サルフェート、アンモニウム、及びこれらの混合物を表し、Ｔ及びＴ’は、それぞれ独立して、非置換又は置換の、Ｃ１〜３０直鎖若しくは分枝鎖アルキル又はアルケニル又はアリールであり、Ｚは、水素、カルボン酸、ヒドロキシ、ホスフェート、ホスフェートエステル、スルホニル、スルホネート、サルフェート、分枝鎖又は直鎖ポリアルキレンオキシド、ニトリル、グリセリル、非置換又はＣ１〜３０アルキルＣ２〜１０アルケニルで置換されているアリール、非置換又はＣ１〜１０アルキル若しくはＣ２〜１０アルケニルで置換されている炭水化物、又はアンモニウムであり、Ｇは、Ｈ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート若しくはトシラートなどの陰イオン又は陽イオンである。
【００８４】
シロキサンをベースにした前述の界面活性剤の種類の例は、ＥＰ−１，０４３，４４３Ａ１、ＥＰ−１，０４１，１８９、及びＰＣＴ国際公開特許ＷＯ０１／３４，７０６（全てＧＥシリコーンズ（GE Silicones）に発行）、及び米国特許第５，６７６，７０５号、米国特許第５，６８３，９７７号、米国特許第５，６８３，４７３号、及びＥＰ−１，０９２，８０３Ａ１（全てリーバー・ブラザーズ（Lever Brothers）に譲渡）に見出すことができる。
【００８５】
好適なシロキサン系の界面活性剤の非限定的な市販の例は、ＴＳＦ４４４６（例えば、ゼネラル・エレクトリック・シリコーンズ（General Electric Silicones））、ＸＳ６９−Ｂ５４７６（例えば、ゼネラル・エレクトリック・シリコーンズ（General Electric Silicones））；ジェナミン（Jenamine）ＨＳＸ（例えば、デルコン（DelCon））及びＹ１２１４７（例えば、オーシースペシャルティー（OSi Specialties））である。
【００８６】
界面活性剤構成成分に好適なさらに別の好ましい分類の物質は、有機物の性質をもつ。好ましい物質は、炭素原子数約６〜約２０の炭素鎖を有する、オルガノスルホスクシネート界面活性剤である。それぞれ、炭素原子約６〜約２０の炭素鎖を有するジアルキル鎖を含有するオルガノスルホスクシネートが、最も好ましい。また、アリール又はアルキルアリール、置換又は非置換、分枝又は直鎖、飽和又は不飽和基を含有する鎖も好ましい。好適なオルガノスルホスクシネート界面活性剤の市販品の非限定例は、エアゾール（Aerosol）ＯＴ及びエアゾール（Aerosol）ＴＲ−７０（サイテック（Cytec）より）の商品名で入手可能である。
【００８７】
界面活性剤構成成分は、本発明の組成物中に存在する場合、好ましくは組成物の約１重量％〜約９９重量％、より好ましくは約２重量％〜約７５重量％、さらにより好ましくは約５重量％〜約６０重量％含まれる。
【００８８】
洗浄溶液を調整するために組成物を親油性流体で希釈する場合、界面活性剤構成成分は、好ましくは洗浄溶液の約０．０１重量％〜約１０重量％、より好ましくは約０．０２重量％〜約５重量％、さらにより好ましくは約０.０５重量％〜約２重量％含まれる。
【００８９】
（極性溶媒）
本発明の組成物はさらに極性溶媒を含んでもよい。極性溶媒の非限定例には、水、アルコール類、グリコール類、ポリグリコール類、エーテル類、カーボネート類、二塩基性エステル類、ケトン類、他の酸素化溶媒、及びこれらの混合物が挙げられる。アルコール類のさらなる例には、プロパノール、エタノール、イソプロピルアルコールなどのようなＣ１〜Ｃ１２６アルコール類、ベンジルアルコール、及び１，２−ヘキサンジオールのようなジオール類が挙げられる。ダワノール（DOWANOL）（登録商標）ＴＰＭ、ＴＰｎＰ、ＤＰｎＢ、ＤＰｎＰ、ＴＰｎＢ、ＰＰｈ、ＤＰＭ、ＤＰＭＡ、ＤＢなどのような、ダウ・ケミカルによるダワノール（DOWANOL）（登録商標）シリーズは、本発明に有用なグリコール類及びポリグリコール類の例である。他の例には、プロピレングリコール、ブチレングリコール、ポリブチレングリコール、及びさらに疎水性のグリコールなどが挙げられる。カーボネート溶媒の例には、エチレン、プロピレン、及びブチレンカーボネート、例えばジェフソル（JEFFSOL）（登録商標）の商標名で入手可能なものなどがある。本発明のための極性溶媒は、分散性（δＤ）、極性（δＰ）、及び水素結合（δＨ）ハンセン溶解度パラメータによってさらに識別することができる。好ましい極性溶媒又は極性溶媒混合物は、部分極性（ｆＰ）及び部分水素結合（ｆＨ）が、ｆＰ＞０．０２及びｆＨ＞０．１０であり、その際、ｆＰ＝δＰ／（δＤ＋δＰ＋δＨ）及びｆＨ＝δＨ／（δＤ＋δＰ＋δＨ）、より好ましくはｆＰ＞０．０５及びｆＨ＞０．２０、最も好ましくはｆＰ＞０．０７及びｆＨ＞０．３０である。
【００９０】
本発明の洗剤組成物において、極性溶媒の濃度は、洗剤組成物の約０重量％〜約７０重量％、好ましくは約１重量％〜約５０重量％、さらにより好ましくは約１重量％〜約３０重量％であり得る。
【００９１】
本発明の組成物がアミノ官能シリコーンを唯一の乳化剤として含む場合、好ましい極性溶媒の濃度は、洗剤組成物の約０.０１重量％〜約２重量％、好ましくは約０.０５重量％〜約０.８重量％、さらにより好ましくは約０.１重量％〜約０.５重量％である。
【００９２】
本発明の洗剤組成物がより高濃度の極性溶媒を含む場合、この洗剤組成物は、好ましくは洗剤組成物の約２重量％〜約２５重量％、より好ましくは約５重量％〜約２０重量％、さらにより好ましくは約８重量％〜約１５重量％含まれる。
【００９３】
（洗浄補助剤）
本発明の洗剤組成物は、所望によりさらに少なくとも１つの追加洗浄補助剤を含む。前記洗浄補助剤は、幅広く異なることができ、広範にわたる濃度で使用することが可能である。例えば、プロテアーゼ類、アミラーゼ類、セルラーゼ類、リパーゼ類等のような洗浄性酵素、並びに、洗濯及び洗浄製品で全て有用なマンガン又は類似の遷移金属を有する大環状種を含む漂白触媒を、非常に低い濃度で、又はあまり一般的ではないがより高い濃度で、本明細書において使用することができる。触媒作用のある洗浄補助剤、例えば酵素は、「順方向」又は「逆方向」モードで使用することができ、これは本発明の布地処理方法とは無関係に有用な発見である。例えば、リポラーゼ又は他の加水分解酵素は、所望によりアルコールの存在下で洗浄補助剤として使用されて、脂肪酸をエステルに変換し、それにより親油性流体中での溶解性を増大させ得る。これは「逆方向」操作であって、水に対する溶解度がより小さい脂肪酸エステルを、水に対する溶解度がより大きい物質に変換するための、水中における加水分解酵素の通常の使用法とは対照的である。いずれにせよ、どの洗浄補助剤も、本発明による親油性流体と組み合わせて使用するのに適していなければならない。
【００９４】
好適な洗浄補助剤には、ビルダー、界面活性剤、界面活性剤構成成分に関する前述のもの以外、酵素、漂白活性化剤、漂白触媒、漂白増進剤、漂白剤、アルカリ性供給源、抗菌剤、着色剤、香料、副香料、仕上げ助剤、石灰石鹸分散剤、賦香剤、臭気中和剤、高分子移染抑制剤、結晶成長阻害物質、光漂白剤、重金属イオン封止剤、変色防止剤、抗微生物剤、抗酸化剤、再付着防止剤、汚れ放出ポリマー、電解質、ｐＨ調節剤、増粘剤、研磨剤、二価イオン又は三価イオン、金属イオン塩、酵素安定化剤、腐食阻害物質、ジアミン又はポリアミン及び／又はそのアルコキシレート、泡安定化ポリマー、溶媒、加工助剤、布地柔軟化剤、蛍光増白剤、ヒドロトロープ、石鹸泡又は気泡抑制剤、石鹸泡又は気泡促進剤、及びこれらの混合物などが挙げられるが、これらに限定されない。
【００９５】
所望により、本発明に有用な組成物は、加工助剤を含んでもよい。加工助剤は、消費可能な洗剤組成物の流動性及び／又は均一性を維持し、及び／又は希釈プロセスを補助することによって、洗浄組成物の形成を促進する。本発明に好適な加工助剤は溶媒であり、好ましくは上述のもの以外の溶媒、ヒドロトロープ、及び／又は界面活性剤、好ましくは界面活性剤構成成分に関する上述のもの以外の界面活性剤である。特に好ましい加工助剤は、脂肪族アルコール、ジオール、トリオールなどのプロトン性溶媒、及びエトキシル化脂肪族アルコールなどの非イオン性界面活性剤である。
【００９６】
加工助剤が本発明の洗浄組成物中に存在する場合、好ましくは洗浄組成物の約０．０２質量％〜約１０質量％、より好ましくは約０．０５質量％〜約１０質量％、更により好ましくは約０．１質量％〜約１０質量％含まれる。加工助剤が本発明の消費可能な洗剤組成物中に存在する場合、好ましくは消費可能な洗剤組成物の約１質量％〜約７５質量％、より好ましくは約５質量％〜約５０質量％含まれる。
【００９７】
仕上げ剤として所望により使用されてもよい好適な賦香剤には、シクロデキストリン、臭気中和剤、臭気遮断剤、及びこれらの混合物などを含む薬剤が挙げられる。好適な臭気中和剤としては、アルデヒド、フラボノイド、金属性塩、水溶性ポリマー、ゼオライト、活性炭及びこれらの混合物が挙げられる。
【００９８】
本発明のための洗剤組成物において有用な香料及び香料的成分は、多種多様な天然及び合成化学成分を含み、これにはアルデヒド類、ケトン類、及びエステル類などが挙げられるが、これらに限定されない。また、様々な天然抽出物及び天然エキスも挙げられ、これらは、オレンジ油、レモン油、バラ抽出物、ラベンダー、ムスク、パチョリ、バルサムエキス、ビャクダン油、パイン油、シーダーなどの成分の複雑な混合物から構成されている場合がある。完成した香料は、このような成分の極めて複雑な混合物を含んでもよい。副香料も本発明で有用である。そのような物質は、化学的に反応可能なそれらの前駆体又は混合物であり、例えば加水分解により香料を放出し、プロクター・アンド・ギャンブル（Procter and Gamble）、フィルメニッチ（Firmenich）、ジボダン（Givaudan）などに対して発行された特許及び／又は公開特許出願に記載されている。
【００９９】
漂白剤、とりわけ酸素漂白剤は、本発明のための洗剤組成物において使用するのに好適なもう１つの種類の洗濯添加剤である。これは特に、ノナノイルオキシベンゼンスルホネート及び／又はその直鎖状又は分枝鎖状高級又は低級類似体のいずれか、及び／又はテトラアセチルエチレンジアミン及び／又はその誘導体のいずれか、又はフタロイルイミドペルオキシカプロン酸（ＰＡＰ；オージモント（Ausimont）ＳｐＡから商品名ユーロコ（Euroco）として入手可能）の誘導体、又はラクタム型を含む他のイミド−又はアミド−置換漂白活性化剤、或はより一般的に、親水性及び／又は疎水性漂白活性化剤のいずれかの混合物（特に、Ｃ６〜Ｃ１６置換オキシベンゼンスルホネートのものを含むアシル誘導体）のような漂白活性化剤に関して活性化及び触媒化型の場合である。
【０１００】
ＰＡＰ及びＰＡＰ以外のものを含む有機又は無機過酸も好適である。本発明で使用される好適な有機又は無機過酸としては、過カルボン酸及び塩；過炭酸及び塩；過イミド酸及び塩；ペルオキシモノ硫酸及び塩；モノペルサルフェートのようなペルサルフェート；ジペルオキシドデカンジオン酸（ＤＰＤＡ）のようなペルオキシ酸；ペルオキシフタル酸マグネシウム；過ラウリン酸；過安息香酸及びアルキル過安息香酸；並びにこれらの混合物が挙げられるが、これらに限定されない。
【０１０１】
プロテアーゼ、アミラーゼ、セルラーゼ、リパーゼ等の洗浄性酵素、並びにマンガン又は類似の遷移金属を有し大環状型を含む漂白触媒は、すべて洗濯製品及び洗浄製品に有用であり、本発明で非常に低濃度又は一般的ではないが、より高濃度で使用できる。触媒作用的である洗濯添加剤、例えば酵素は、「順方向」又は「逆方向」モードで使用できる。例えば、リポラーゼ又は他の加水分解酵素を、所望によりアルコールの存在下で洗濯添加剤として使用し、脂肪酸をエステルに転換してもよく、これにより親油性流体中での溶解度が増大する。
【０１０２】
市販品として入手可能な仕上げポリマーの非限定的な例は、ＧＡＦケミカルズ社（GAF Chemicals Corporation）から入手可能な重量平均分子量約０．１６ａｇ（１００，０００ダルトン）のコポリマー９５８（登録商標）及び重量平均分子量約１．６６ａｇ（１，０００，０００ダルトン）のコポリマー９３７のようなポリビニルピロリドン／ジメチルアミノエチルメタクリレートコポリマー；サンドズケミカルズ社（Sandoz Chemicals Corporation）から入手可能なカーターチン（Cartaretin）Ｆ−４（登録商標）及びＦ−２３のようなアジピン酸／ジメチルアミノヒドロキシプロピルジエチレントリアミンコポリマー；三菱化学から入手可能なジアフォーマーＺ−ＳＭ（登録商標）のようなメタクリロイルエチルベタイン／メタクリレートコポリマー；エア・プロダクツ（Air Products）から入手可能なビネックス（Vinex）２０１９及びクラリアント（Clariant）から入手可能なケミカルズ（Chemicals）又はＭＯＷＥ０１（登録商標）のようなポリビニルアルコールコポリマー樹脂；ハーキュレス社（Hercules Incorporated）から入手可能なデルセット（Delsette）１０１（登録商標）のようなアジピン酸／エポキシプロピルジエチレントリアミンコポリマー；サイテックインダストリーズ（Cytec Industries）から入手可能なシプロ５１５（登録商標）のようなポリアミン樹脂；ハーキュレス社（Hercules Incorporated）から入手可能なキメン５５７Ｈ（登録商標）のようなポリ第四級アミン樹脂；並びにＢＡＳＦから入手可能なソカラン（Sokalan）ＥＧ３１０（登録商標）のようなポリビニルピロリドン／アクリル酸である。
【０１０３】
洗浄添加剤はまた、静電気防止剤であってもよい。慣用的な洗濯及びドライクリーニングで使用されるいかなる好適な周知の静電気防止剤をも、本発明の洗剤組成物及び方法に用いるのに好適である。静電気防止剤として特に適しているのは、静電気防止効果をもたらすことで知られている布地柔軟剤の一部である。例えば、Ｎ，Ｎ−ジ（タローイル−オキシ−エチル）−Ｎ，Ｎ−ジメチルアンモニウムメチルサルフェートのような、ヨウ素価が２０を超える脂肪族アシル基を有する布地柔軟剤である。しかし、静電気防止剤という用語は、この一部の布地柔軟剤だけに限らず、全ての静電気防止剤を含むということが理解されるべきである。
【０１０４】
本発明の組成物において有用な好ましい防虫及び防蛾洗濯添加剤は、シトロネロール、シトロネラール、シトラール、リナロール、スギ抽出物、ゼラニウム油、ビャクダン油、２−（ジエチルフェノキシ）エタノール、１−ドデセンなどのような香料成分である。本発明の組成物において有用な防虫及び／又は防蛾剤の他の例は、米国特許番号第４，４４９，９８７号、第４，６９３，８９０号、第４，６９６，６７６号、第４，９３３，３７１号、第５，０３０，６６０号、第５，１９６，２００号、及び「多様な昆虫種に対する風味及び芳香分子の信号作用（Semio Activity of Flavor and Fragrance Molecules on Various Insect Species）」Ｂ．Ｄ．ムックハージー（B.D.Mookherjee）ら、植物からの生物活性揮発性化合物（Bioactive Volatile Compounds from Plants）において公開、ＡＣＳシンポジウムシリーズ５２５、Ｒ．テラニシ、Ｒ．Ｇ．バタリー（R.G.Buttery）、及びＨ．スギサワ、１９９３年、３５〜４８頁に開示されている。
【０１０５】
Ｇ．非水性洗濯装置のサービス
本発明の別の実施形態は、非水性洗濯装置をサービスする工程を含む。時間が経つと、少量の親油性流体及び／又は補助剤が、非水性洗濯装置にて洗浄される布地物品に保持されることによって非水性洗濯装置から失われ、フィルターが一杯になり、機械的部品が磨耗する場合がある。さらに、ユーザーが、非水性洗濯装置にいかなる補助剤流体をも加える必要のない便利さを好む場合がある。従って、サービス工程は、１以上のこれらの必要性に取り組むことを含んでもよい。
【０１０６】
サービスは設置箇所で行われてもよく、又はその設置箇所からサービスのための別個のサービス箇所へ、非水性洗濯装置を移動することを含んでもよい。
【０１０７】
１つの実施形態において、サービスは、非水性洗濯装置のあらゆる機械的、電気的及び化学的な構成要素を点検すること、並びに交換／アップグレードの必要があれば、かかる構成要素のいずれかを交換及び／又はアップグレードすることを含む。
【０１０８】
１つの実施形態において、サービスは、サービス前の使用中に失われた可能性のあるあらゆる親油性流体を交換することを含む。別の実施形態において、サービスは、親油性流体を非水性洗濯装置から完全に除去すること、及び新しい親油性流体と交換することを含んでもよい。別の実施形態において、サービス技術者は、サービス箇所で親油性流体を除去して浄化し（例えば、皮脂のような不純物は、非水性洗濯プロセスが移る間に拾い上げられた可能性がある）、新しい親油性流体が非水性洗濯装置に戻される。サービス箇所が設置箇所でもある場合（例えばユーザーの家庭）、サービス技術者は、親油性流体のこのような浄化のために、移動可能な浄化システムを持参してもよい。
【０１０９】
サービスはまた、浸入気体及び／又は非水性洗濯装置内への補助剤の追加及び／又は交換を含んでもよい。
【０１１０】
サービスは、非水性洗濯装置を、ユーザーが使用してきた同様の構成要素又はアップグレードされた構成要素に交換することをさらに含んでもよい。構成要素は、貯蔵槽、フィルター、アプリケータ、センサ、回収システム、ユーザーインターフェース、コントロールシステム、又はシステムソフトウェアであってもよい。
【０１１１】
非水性洗濯装置のある実施形態は、１を超える自動洗濯プロセスのために、親油性流体を浄化及び再利用する能力を含んでもよい。複数回の使用のために親油性流体を浄化するのに好ましい方法は、交換可能なフィルターである。かかるフィルターは、典型的には、自動の家庭用洗濯プロセス中に少なくとも布地物品から除去された生地汚れを除去及び収集できるフィルター材を含む。活性炭、シリカ、モレキュラーシーブ、及び／又は疎水変性された紙は、かかるフィルターの任意の構成要素のほんの一部である。フィルターは、定期的に消費者がフィルターを容易に取り外して交換できる方法によって、取り外し可能なように非水性洗濯装置に取付けられている。しかしながら、サービスはまた、サービス技術者によるかかるフィルターの浄化及び／又は交換を含み得る。
【０１１２】
Ｈ．ノードを介したサービス
整備の必要性、最低限の供給レベルなどに比較した非水性洗濯材料の供給レベルを検知する際、データをノードに転送することができる。次にデータが処理されて、必要な動作を決定する。１つの実施形態において、非水性洗濯装置は、整備、非水性洗濯材料の再供給（その際、再供給量は、少なくとも洗濯材料を最低限の供給レベルに又は最低限の供給レベルを超えて回復するのに十分である）、非水性洗濯材料の再利用、整備などのために、ノードからサービスを要求することができる。別の実施形態において、ノード及び非水性洗濯装置は、二方向通信を行うことができ、ここで非水性洗濯装置は、整備、非水性洗濯材料の再供給、非水性洗濯材料の再利用、整備などのためにノードからサービスを要求することができ、ノードは、これらの問題のサービスを促進するために非水性洗濯装置にデータを送り返すことができる。好ましい実施形態において、サービスは、ユーザーの介入なしに起こり得る。
【０１１３】
ノードは、ノードから集められた情報がサービスを促進するために用いられ得るような方法で、使用することができる。例えば、非水性洗濯装置は、ノードと連絡して必要なものを報告することができる。ノードは、この必要性を適切な補修サービスに中継することができ、それによって補修サービスは、非水性洗濯装置のために必要なサービスを提供することができる。
【０１１４】
「発明を実施するための最良の形態」で引用したすべての文献は、関連部分において本明細書に参考として組み込まれているが、どの文献の引用も、それが本発明に関する先行技術であるとの容認と解釈されるべきではない。
【０１１５】
本発明の特定の実施形態を例示し記載したが、本発明の精神及び範囲から逸脱することなく他の様々な変更及び修正を実施できることが、当業者には自明であろう。したがって、本発明の範囲内にあるそのようなすべての変更及び修正を冒頭の特許請求の範囲で扱うものとする。
【図面の簡単な説明】
【０１１６】
【図１】非水性洗濯装置の斜視図。
【図２】非水性洗濯装置の断面図。
【図１】
2007521077.tif 000004
【図２】
2007521077.tif 000005
【国際調査報告】
2007521077.tif 000006
2007521077.tif 000007
2007521077.tif 000008
2007521077.tif 000009
2007521077.tif 000010
2007521077.tif 000011